(57)【要約】【課題】モバイルデジタル放送の受信機を提供する。【解決手段】デジタル放送を受信して視聴する中で、デジタル放送の視聴の一時的な中断が要請される場合、その時点から放送視聴の再開始が可能な時点までのデジタル放送を記憶する。そして放送視聴の再開始が要請されれば、その時点まで記憶された放送を再生してディスプレイすると同時に、その時点から受信される放送をリアルタイムで記憶する。先に記憶された放送データの再生及びディスプレイが完了すれば、後に記憶された放送データの再生及びディスプレイと、その時点からの放送データ記憶に至る一連の動作を交互に繰り返し行う。【選択図】図７
2007110704.tif 000002
【特許請求の範囲】
【請求項１】
第１イベント検出に応答し、第１要求を受信して放送コンテンツの再生をリアルタイムで遅延させるステップと、
第１要求受信に応答し、時点Ｔ１と時点Ｔ２との間に受信された第１放送コンテンツを記憶媒体に記憶するステップと、
第２イベント検出に応答し、第１放送コンテンツを再生するステップと、
第１放送コンテンツが再生される間、時点Ｔ３以後に受信された第２放送コンテンツを記憶するステップと、
第１放送コンテンツが再生された後、第２放送コンテンツを再生するステップと
を含むことを特徴とするモバイル端末機により受信された放送コンテンツの再生方法。
【請求項２】
第１放送コンテンツが再生された後、記憶媒体から第１放送コンテンツを検出するステップをさらに含むことを特徴とする請求項１に記載のモバイル端末機により受信された放送コンテンツの再生方法。
【請求項３】
第１放送コンテンツが記憶媒体から削除された後、前記第２放送コンテンツが再生されることを特徴とする請求項２に記載のモバイル端末機により受信された放送コンテンツの再生方法。
【請求項４】
時点Ｔ２が、略時点Ｔ３と同じであることを特徴とする請求項１に記載のモバイル端末機により受信された放送コンテンツの再生方法。
【請求項５】
前記第１イベントが、モバイル端末機のインターフェス装置と相互作用するユーザに応答して発生することを特徴とする請求項１に記載のモバイル端末機により受信された放送コンテンツの再生方法。
【請求項６】
前記第１イベントが、着信号を受信するモバイル端末機に応答して発生することを特徴とする請求項１に記載のモバイル端末機により受信された放送コンテンツの再生方法。
【請求項７】
前記第１イベントが、発信号を発生させるモバイル端末機に応答して発生することを特徴とする請求項１に記載のモバイル端末機により受信された放送コンテンツの再生方法。
【請求項８】
前記第１イベントが、モバイル端末機に向かう通信関連イベントであることを特徴とする請求項１に記載のモバイル端末機により受信された放送コンテンツの再生方法。
【請求項９】
前記第２イベントが、電話通話を終了するモバイル端末機に応答して発生することを特徴とする請求項１に記載のモバイル端末機により受信された放送コンテンツの再生方法。
【請求項１０】
前記第２イベントが、モバイル端末機のインターフェス装置と相互作用するユーザに応答して発生することを特徴とする請求項１に記載のモバイル端末機により受信された放送コンテンツの再生方法。
【請求項１１】
第１イベント検出に応答し、第１要求を受信して放送コンテンツの再生をリアルタイムで遅延させるステップと、
第１要求受信に応答し、時点Ｔ１と時点Ｔ２との間に受信された第１放送コンテンツを記憶媒体の第１領域に記憶するステップと、
第２イベント検出に応答し、記憶媒体の第１領域に記憶された第１放送コンテンツを再生するステップと、
時点Ｔ２以後に受信された第２放送コンテンツを記憶媒体の第１領域に記憶するステップと
を含むことを特徴とするモバイル端末機により受信された放送コンテンツの再生方法。
【請求項１２】
記憶媒体の第１領域に記憶された前記第１放送コンテンツが、第２放送コンテンツが記憶媒体の第２領域に記憶される際に同時に再生されることを特徴とする請求項１１に記載のモバイル端末機により受信された放送コンテンツの再生方法。
【請求項１３】
第１放送コンテンツが再生された後、前記第２放送コンテンツを再生するステップをさらに含むことを特徴とする請求項１１に記載のモバイル端末機により受信された放送コンテンツの再生方法。
【請求項１４】
前記第２放送コンテンツは、リアルタイムで受信されるが、記憶媒体の第１領域に記憶された第１放送コンテンツが完全に再生されるまでは、リアルタイムで再生されないことを特徴とする請求項１１に記載のモバイル端末機により受信された放送コンテンツの再生方法。
【請求項１５】
第１放送コンテンツが再生された後、記憶媒体の第１領域から第１放送コンテンツを削除するステップをさらに含むことを特徴とする請求項１１に記載のモバイル端末機により受信された放送コンテンツの再生方法。
【請求項１６】
第１放送コンテンツの所定分量が記憶媒体の第１領域から削除された後、記憶媒体の第２領域に記憶された第２放送コンテンツを再生するステップをさらに含むことを特徴とする請求項１５に記載のモバイル端末機により受信された放送コンテンツの再生方法。
【請求項１７】
第１放送コンテンツが記憶媒体の第１領域から削除された後、記憶媒体の第２領域に記憶された第２放送コンテンツを再生するステップをさらに含むことを特徴とする請求項１５に記載のモバイル端末機により受信された放送コンテンツの再生方法。
【請求項１８】
第２放送コンテンツが再生された後、第２放送コンテンツを記憶媒体の第２領域から削除するステップをさらに含むことを特徴とする請求項１７に記載のモバイル端末機により受信された放送コンテンツの再生方法。
【請求項１９】
第２放送コンテンツの所定分量が記憶媒体の第２領域から削除されることを決定することに応答し、記憶媒体の第２領域に第２放送コンテンツを記憶することを中断するステップをさらに含むことを特徴とする請求項１５に記載のモバイル端末機により受信された放送コンテンツの再生方法。
【請求項２０】
第２放送コンテンツが記憶媒体の第２領域から削除されることを決定することに応答し、時点Ｔ３において第２領域に第２放送コンテンツを記憶することを中断するステップと、
時点Ｔ３以後、モバイル端末機により受信された第３放送コンテンツをリアルタイムで再生するステップと
をさらに含むことを特徴とする請求項１５に記載のモバイル端末機により受信された放送コンテンツの再生方法。
【請求項２１】
第１放送チャネルを介して放送コンテンツを受信する受信部と、
モバイル端末機のディスプレイに放送コンテンツを再生することを制御する制御部と
を備え、
第１イベントの検出に応答し、制御部が、第１要求を受信してリアルタイムで受信される放送コンテンツの再生を遅延させ、
第１要求の受信に応答し、制御部が、時点Ｔ１と時点Ｔ２との間に受信された第１放送コンテンツを記憶媒体に記憶し、
第２イベントの検出に応答し、制御部が、第１放送コンテンツを再生し、
制御部が、時点Ｔ３以後に受信された第２放送コンテンツを記憶し、
第１放送コンテンツが再生された後に、制御部が、第２放送コンテンツを再生することを特徴とするモバイル通信端末機。
【請求項２２】
前記制御部が、第１放送コンテンツが再生された後、記憶媒体から第１放送コンテンツを削除することを特徴とする請求項２１に記載のモバイル通信端末機。
【請求項２３】
第１放送コンテンツが記憶媒体から削除された後、第２放送コンテンツが再生されることを特徴とする請求項２２に記載のモバイル通信端末機。
【請求項２４】
時点Ｔ２が、略時点Ｔ３と同じであることを特徴とする請求項２１に記載のモバイル通信端末機。
【請求項２５】
前記第１イベントが、モバイル端末機のインターフェス装置と相互作用するユーザに応答して発生することを特徴とする請求項２１に記載のモバイル通信端末機。
【請求項２６】
前記第１イベントが、着信号を受信するモバイル端末機に応答して発生することを特徴とする請求項２１に記載のモバイル通信端末機。
【請求項２７】
前記第１イベントが、発信号を発生させるモバイル端末機に応答して発生することを特徴とする請求項２１に記載のモバイル通信端末機。
【請求項２８】
前記第１イベントが、モバイル端末機に向かう通信関連イベントであることを特徴とする請求項２１に記載のモバイル通信端末機。
【請求項２９】
前記第２イベントが、電話通話を終了するモバイル端末機に応答して発生することを特徴とする請求項２１に記載のモバイル通信端末機。
【請求項３０】
前記第２イベントが、モバイル端末機のインターフェス装置と相互作用するユーザに応答して発生することを特徴とする請求項２１に記載のモバイル通信端末機。
【請求項３１】
第１イベント検出に応答し、第１要求を受信して放送コンテンツの再生をリアルタイムで遅延させるためのロジックユニットと、
第１要求受信に応答し、時点Ｔ１と時点Ｔ２との間に受信された第１放送コンテンツを記憶媒体の第１領域に記憶するためのロジックユニットと、
第２イベント検出に応答し、記憶媒体の第１領域に記憶された第１放送コンテンツを再生するためのロジックユニットと、
時点Ｔ２以後に受信された第２放送コンテンツを記憶媒体の第１領域に記憶するためのロジックユニットと
を備えることを特徴とするモバイル端末機。
【請求項３２】
記憶媒体の第１領域に記憶された前記第１放送コンテンツが、第２放送コンテンツが記憶媒体の第２領域に記憶される際に同時に再生されることを特徴とする請求項３１に記載のモバイル端末機。
【請求項３３】
第１放送コンテンツが再生された後、前記第２放送コンテンツを再生するためのロジックユニットをさらに備えることを特徴とする請求項３１に記載のモバイル端末機。
【請求項３４】
前記第２放送コンテンツはリアルタイムで受信されるが、第１放送コンテンツが完全に再生されるまでは、リアルタイムで再生されないことを特徴とする請求項３１に記載のモバイル端末機。
【請求項３５】
第１放送コンテンツが再生された後、記憶媒体の第１領域から第１放送コンテンツを削除するためのロジックユニットをさらに備えることを特徴とする請求項３１に記載のモバイル端末機。
【請求項３６】
第１放送コンテンツの所定分量が記憶媒体から削除された後、記憶媒体の第２領域に記憶された第２放送コンテンツを再生するためのロジックユニットをさらに備えることを特徴とする請求項３５に記載のモバイル端末機。
【請求項３７】
第１放送コンテンツが記憶媒体の第１領域から削除された後、記憶媒体の第２領域に記憶された第２放送コンテンツを再生するためのロジックユニットをさらに備えることを特徴とする請求項３５に記載のモバイル端末機。
【請求項３８】
第２放送コンテンツが再生された後、第２放送コンテンツを記憶媒体の第２領域から削除するためのロジックユニットをさらに備えることを特徴とする請求項３７に記載のモバイル端末機。
【請求項３９】
第２放送コンテンツの所定分量が記憶媒体の第２領域から削除されることを決定することに応答し、第２領域に第２放送コンテンツを記憶することを中断するためのロジックユニットをさらに備えることを特徴とする請求項３５に記載のモバイル端末機。
【請求項４０】
第２放送コンテンツが記憶媒体の第２領域から削除されることを決定することに応答し、時点Ｔ３において第２領域に第２放送コンテンツを記憶することを中断するためのロジックユニットと、
時点Ｔ３以後、モバイル端末機により受信された第３放送コンテンツをリアルタイムで再生するためのロジックユニットと
をさらに備えることを特徴とする請求項３５に記載のモバイル端末機。
【発明の詳細な説明】
【技術分野】
【０００１】
本発明は、デジタル放送を受信して記憶及び再生処理する装置、及びその方法に関する。
【背景技術】
【０００２】
デジタル放送を受信する機器は、地上波デジタルテレビ放送システム、デジタル衛星放送システムをはじめとし、モバイル基盤の移動型デジタル放送の受信システムに至るまで多様に具現されている。
【０００３】
図１は、ＭＰＥＧ−２  ＴＳ（Ｔｒａｎｓｐｏｒｔ  Ｓｔｒｅａｍ）基盤の一般的なデジタル放送の受信機の構成を示す。デジタル放送の受信機は、デジタル放送の受信部（ＣＤＭ：Ｃｏｄｅ  Ｄｉｖｉｓｉｏｎ  Ｍｕｌｔｉｐｌｅｘｉｎｇ）１１０、ＣＤＭバッファ１２０、デマルチプレクサ（以下、ＤＥＭＵＸという）１３０、デマルチプレクスバッファ（ＤＥＭＵＸ  Ｂｕｆｆｅｒ；以下、ＤＥＭＵＸバッファという）１４０、デコーダ（ＤＥＣＯＤＥＲ）１５０、Ａ／Ｖ出力部（Ａ／ＶＯＵＴ）１６０を備える。デジタル放送の受信部１１０において受信されたデジタル放送信号は、ＣＤＭバッファ１２０に一時記憶され、ＣＤＭバッファ１２０から出力されるデジタル放送データは、ＤＥＭＵＸ１３０で各種放送情報とＡ／Ｖストリーム（Ａｕｄｉｏ／Ｖｉｄｅｏ  Ｓｔｒｅａｍ）が分離され、分離されたＡ／Ｖストリームは、デマルチプレクサ１４０に記憶される。デマルチプレクサ１４０から出力されるＡ／Ｖデータは、デコーダ１５０でデコードされて出力部１６０に出力される。出力部１６０は、ディスプレイ装置とオーディオ出力装置である。
【０００４】
デジタル放送を受信することのできる移動型放送受信機は、複数のものがあり、一例として、ＤＭＢ（Ｄｉｇｉｔａｌ  Ｍｕｌｔｉｍｅｄｉａ  Ｂｒｏａｄｃａｓｔｉｎｇ），ＤＶＢ−Ｈ（Ｄｉｇｉｔａｌ  Ｖｉｄｅｏ  Ｂｒｏａｄｃａｓｔｉｎｇ−Ｈａｎｄｈｅｌｄ）、メディアフローなどの端末機がある。前記移動型放送受信機は、携帯電話、ＰＤＡ、車両用端末機など、個人携帯型端末機に放送受信機能を適用したものであって、固定された場所はもちろん、移動中にも多様なマルチメディア放送を提供する。
【０００５】
デジタル放送の受信機の中には、機器内部又は外部に記憶装置を備えたものがある。例えば、ハードディスクドライブ（ＨＤＤ）を記憶装置として用いて、デジタル放送を記憶する。記憶装置を備えるデジタル放送の受信機は、大容量の記憶媒体を用いてデジタル放送を記憶し、これを必要により再生して視聴する。したがって、移動型放送受信機でも記憶媒体を利用してデジタル放送をリアルタイムで受信及び記憶し、これを再生してディスプレイできる基盤が求められる。
【０００６】
ＨＤＤを基盤とする記憶装置において、現在リアルタイムで受信される放送データを記憶すると同時に、以前に記憶された放送データを再生してディスプレイするデジタル放送処理を行う場合、記憶空間を分割し、複数のファイルにオーディオ及び／又はビデオデータを処理するか、１つのファイルを用いて該当データを処理している。
【０００７】
図２に示すように、記憶媒体の録画可能な領域に対して記憶空間を区分し、セグメント（ｓｅｇｍｅｎｔ）単位で録画するファイルＦｉｌｅ１，Ｆｉｌｅ２，Ｆｉｌｅ３，．．．を記憶する方式を示す。このような記憶方式では、録画する途中に記憶空間がいっぱいになれば、最も古くなったセグメント単位で削除を行う。しかしながら、このようなデジタル放送の処理方法によれば、任意のファイルｆｉｌｅ１に割り当てられた空間がオーディオ及び／又はビデオデータによりいっぱいになれば、そのファイルｆｉｌｅ１を閉じ、次の他のファイルｆｉｌｅ２を開いて、以後に受信されるオーディオ及び／又はビデオデータをそのファイルｆｉｌｅ２に記憶する。このように、予め記憶された放送データの再生及びディスプレイと同時に、現在受信される放送データを記憶する処理を行う際、ファイルを開いたり閉じたりする時間が必要となるため、これはコンテンツ（オーディオ及び／又はビデオデータ）を再生する際、遅延又はジッタの形態で現れるようになって、画質の劣化を引き起こす。
【０００８】
ＨＤＤを基盤とする記憶装置において、デジタル放送を処理する他の方法の例には、１つのファイルのみを用いる方法がある。１つのファイルのみを用いる方法は、ファイルポインタを１つのみ有しているため、オーディオ及び／又はビデオデータの書き込み／読み出し（Ｗｒｉｔｅ／Ｒｅａｄ）の際に、ファイルの探索、すなわちファイルポインタを移動しなければならないが、リアルタイム記憶と予め記憶されていたデータの同時再生が可能となる。したがって、このような場合には、ファイルポインタの移動時に少なくない時間が必要となるため、プロセッサをはじめとするハードウェア及びソフトウェア資源に対して高い性能が求められる。
【発明の開示】
【発明が解決しようとする課題】
【０００９】
本発明は、上述の問題点に鑑みてなされたもので、その目的は、デジタル放送の記憶及び再生機能を有するモバイル機器を提供することにある。
【００１０】
また、本発明の他の目的は、デジタル放送の受信機能を有するモバイル端末機において、デジタル放送を記憶しておき、後にこれを再生してディスプレイできるようにしたモバイル端末機を提供することにある。
【００１１】
また、本発明のさらに他の目的は、デジタル放送を視聴する中で、一時的に放送視聴の中断が要求される場合、その間に見逃す放送を記憶しておき、後にリアルタイムのように再生してみることができるようにしたモバイル機器を提供することにある。
【００１２】
また、本発明のさらに他の目的は、デジタル放送を視聴する中で一時的に放送視聴の中断が要求される場合、その間に見逃す放送を記憶して、後にリアルタイムのように再生してみることができるようにしたモバイル端末機を提供することにある。
【００１３】
また、本発明のさらに他の目的は、デジタル放送信号を受信してディスプレイできる機器において、現在受信されるデジタル放送を所定時間の間記憶しておき、所定時間後、予め記憶されたデジタル放送を再生してディスプレイすると同時に、その時点でリアルタイムで受信されるデジタル放送を記憶するデジタル放送の処理方法を提供することにある。
【００１４】
また、本発明のさらに他の目的は、デジタル放送の受信機能を搭載したモバイル端末機において、効果的にデジタル放送を録画及び再生し、放送を視聴する中で一時的に放送視聴の中断が要求される場合、見逃す放送を記憶しておき、後にリアルタイムのように見ることができるようにしたモバイル端末機のデジタル放送の処理方法を提供することにある。
【００１５】
また、本発明のさらに他の目的は、デジタル放送受信機能を搭載したモバイル端末機において、記憶媒体の記憶空間をより效率的に用いることができるようにしたデジタル放送の処理方法を提供することにある。
【００１６】
また、本発明のさらに他の目的は、制約的な容量と低い性能のプロセッサに基盤するとしても、画質の劣化や遅延のような問題がなく、かつモバイル端末機においてデジタル放送の同時記憶及びディスプレイを可能にするデジタル放送の処理方法を提供することにある。
【００１７】
また、本発明のさらに他の目的は、比較的短い時間だけでなく、相対的に長い時間の間の録画／再生を基盤とし、ファイルを開いたり閉じたりするのにかかる時間を最小化し、ディスプレイする際に現れる画質劣化及び遅延現象を防止するために、記憶及び再生ファイルを各々異なる領域に分割し、互いに交互に用いることができるようにしたデジタル放送の処理方法を提供することにある。
【課題を解決するための手段】
【００１８】
上記目的を達成すべく、モバイル端末機により受信される放送コンテンツの再生方法が提供されている。
【００１９】
本発明の一側面によれば、第１イベント検出に応答し、第１要求を受信して放送コンテンツの再生をリアルタイムで遅延させるステップと、第１要求受信に応答し、時点Ｔ１と時点Ｔ２との間に受信された第１放送コンテンツを記憶媒体に記憶するステップと、第２イベント検出に応答し、第１放送コンテンツを再生するステップと、第１放送コンテンツが再生される間、時点Ｔ３以後に受信された第２放送コンテンツを記憶するステップと、第１放送コンテンツが再生された後、第２放送コンテンツを再生するステップとを含む。
【００２０】
前記再生方法は、第１放送コンテンツが再生された後、記憶媒体から第１放送コンテンツを検出するステップをさらに含むことができる。第１放送コンテンツが記憶媒体から削除された後、前記第２放送コンテンツが再生される。好ましくは、時点Ｔ２が、略時点Ｔ３と同じである。一実施の形態において、第１イベントが、モバイル端末機のインターフェス装置と相互作用するユーザに応答して発生する。また、他の実施の形態において、前記第１イベントが、着信号を受信するモバイル端末機に応答して発生する。また、他の実施の形態において、前記第１イベントが、発信号を発生させるモバイル端末機に応答して発生する。したがって、前記第１イベントが、モバイル端末機に向かう通信関連イベントであり得る、。
【００２１】
他の実施の形態において、前記第２イベントが、電話通話を終了するモバイル端末機に応答して発生するか、モバイル端末機のインターフェス装置と相互作用するユーザに応答して発生する。
【００２２】
本発明の他の側面によれば、モバイル端末機により受信された放送コンテンツの再生方法は、第１イベント検出に応答し、第１要求を受信して放送コンテンツの再生をリアルタイムで遅延させるステップと、第１要求受信に応答し、時点Ｔ１と時点Ｔ２との間に受信された第１放送コンテンツを記憶媒体の第１領域に記憶するステップと、第２イベント検出に応答し、記憶媒体の第１領域に記憶された第１放送コンテンツを再生するステップと、時点Ｔ２以後に受信された第２放送コンテンツを記憶媒体の第１領域に記憶するステップとを含む。
【００２３】
一実施の形態において、記憶媒体の第１領域に記憶された前記第１放送コンテンツが、第２放送コンテンツが記憶媒体の第２領域に記憶される際に同時に再生される。好ましくは、前記再生方法は、第１放送コンテンツが再生された後、前記第２放送コンテンツを再生するステップをさらに含む。前記第２放送コンテンツは、リアルタイムで受信されるが、記憶媒体の第１領域に記憶された第１放送コンテンツが完全に再生されるまでは、リアルタイムで再生されないことができる。
【００２４】
他の実施の形態において、前記再生方法は、第１放送コンテンツが再生された後、記憶媒体の第１領域から第１放送コンテンツを削除するステップと、第１放送コンテンツの所定分量が記憶媒体の第１領域から削除された後、記憶媒体の第２領域に記憶された第２放送コンテンツを再生するステップをさらに含む。他の実施の形態において、第１放送コンテンツが記憶媒体の第１領域から完全に削除された後、記憶媒体の第２領域に記憶された第２放送コンテンツが再生される。
【００２５】
前記再生方法は、第２放送コンテンツが再生された後、第２放送コンテンツを削除するステップと、第２放送コンテンツの所定分量が記憶媒体の第２領域から削除されることを決定することに応答し、記憶媒体の第２領域に第２放送コンテンツを記憶することを中断するステップをさらに含むことができる。
【００２６】
一実施の形態又は他の実施の形態において、前記再生方法は、第２放送コンテンツが記憶媒体の第２領域から削除されることを決定することに応答し、時点Ｔ３において第２領域に第２放送コンテンツを記憶することを中断するステップと、時点Ｔ３以後、モバイル端末機により受信された第３放送コンテンツをリアルタイムで再生するステップとをさらに含む。
【００２７】
本発明のさらに他の側面によれば、モバイル通信端末機は、第１放送チャネルを介して放送コンテンツを受信する受信部と、モバイル端末機のディスプレイに放送コンテンツを再生することを制御する制御部とを備え、第１イベントの検出に応答し、制御部が、第１要求を受信してリアルタイムで受信される放送コンテンツの再生を遅延させ、第１要求の受信に応答し、制御部が、時点Ｔ１と時点Ｔ２との間に受信された第１放送コンテンツを記憶媒体に記憶し、第２イベントの検出に応答し、制御部が、第１放送コンテンツを再生し、制御部が、時点Ｔ３以後に受信された第２放送コンテンツを記憶し、第１放送コンテンツが再生された後に、制御部が、第２放送コンテンツを再生する。前記制御部が、第１放送コンテンツが再生された後、記憶媒体から第１放送コンテンツを削除する。第１放送コンテンツが記憶媒体から削除された後、第２放送コンテンツが再生される。
【００２８】
本発明のさらに他の側面によれば、モバイル端末機は、第１イベント検出に応答し、第１要求を受信して放送コンテンツの再生をリアルタイムで遅延させるためのロジックユニットと、第１要求受信に応答し、時点Ｔ１と時点Ｔ２との間に受信された第１放送コンテンツを記憶媒体の第１領域に記憶するためのロジックユニットと、第２イベント検出に応答し、記憶媒体の第１領域に記憶された第１放送コンテンツを再生するためのロジックユニットと、時点Ｔ２以後に受信された第２放送コンテンツを記憶媒体の第１領域に記憶するためのロジックユニットとを備えて構成され、記憶媒体の第１領域に記憶された前記第１放送コンテンツが、第２放送コンテンツが記憶媒体の第２領域に記憶される際に同時に再生される。
【００２９】
一実施の形態によれば、第２放送コンテンツが記憶媒体の第２領域から削除されることを決定することに応答し、時点Ｔ３において第２領域に第２放送コンテンツを記憶することを中断するためのロジックユニットと、時点Ｔ３以後、モバイル端末機により受信された第３放送コンテンツをリアルタイムで再生するためのロジックユニットとをさらに備える。
【発明の効果】
【００３０】
本発明は、頻繁な移動性と記憶媒体を基盤とするモバイル放送受信機において効果的な放送データの処理方法を提供することによって、デジタル放送の受信機能を備えたモバイル端末機において放送視聴中に放送視聴以外の作業により一時的に見逃す放送を見ることができるようにするタイムシフトを可能にし、記憶された放送データをディスプレイする際に現れる画質の歪みや遅延現象が現れなくなって、より良い画質の放送再生及びディスプレイを可能にする。
【発明を実施するための最良の形態】
【００３１】
以下、本発明の好ましい実施の形態を、添付図面に基づき詳細に説明する。しかしながら、本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【００３２】
１つ又はその以上の実施の形態がデジタル放送の記憶媒体を備えたデジタル放送の受信機に適用可能なものとして開示される。例えば、１つ又はその以上の実施の形態がデジタル放送の受信機能と記憶媒体を備えたモバイル端末機に適用可能なものとして開示される。前記モバイル端末機は、例えば、デジタル放送の受信機能を備えたモバイル端末機であり得る。以下、モバイル端末機に適用可能な１つ又はその以上の例示的な実施の形態を説明する。しかしながら、本発明の範囲は、ここに開示された例示的な実施の形態に限定されてはならず、汎用コンピュータ、セットトップボックス、他のデジタル記録及び再生システムのようなデジタル放送コンテンツの処理システム及び方法に適用されることができる。
【００３３】
モバイルフォンに適用される本発明のデジタル放送信号の処理装置によれば、電話がかかってきたり、電話通話を試みる場合だけでなく、ユーザの意図によって現在視聴中であるデジタル放送を録画し、通話を終了するか、再生が要求されれば、予め録画されたデジタル放送を該当時点から再生する。
【００３４】
本発明では、説明の便宜上、このような機能をタイムシフト機能という。本発明に係るモバイル端末機は、デジタル放送を受信するための受信部、データ処理のためのバッファ、放送データの記憶のための記憶媒体、機器制御のための制御部、ユーザのための機器操作部、通信のための通信部、放送データの処理のためのＤＥＭＵＸ、放送データをデコードするためのデコーダ、デコードされた放送データを出力するための出力部（ディスプレイ装置／オーディオ出力装置）を備える。
【００３５】
図３は、本発明の実施の形態に係るモバイルフォンの構成を示す。同図に示すように、本発明の実施の形態に係るモバイルフォンは、放送受信部１０、記憶部２０、制御部３０、出力部４０、通信部５０、機器操作部６０を備える。
【００３６】
放送受信部１０は、デジタルオーディオ放送又はデジタルオーディオ／ビデオ放送を受信し、制御部３０によって制御される。記憶部２０は、多様な記憶媒体を用いることができ、一例として、ＳＤＲＡＭ、フラッシュメモリ、ハードディスク、光記録媒体などを用いることができる。記憶部２０は、機器に内蔵されるか、外部からインターフェスを基盤として脱着が可能な形態で具現される。制御部３０は、放送受信、記憶及び再生、出力、通信制御を担当する。出力部４０は、オーディオ及び／又はビデオを出力する。出力部４０は、スピーカー又はヘッドセット、ディスプレイ装置を備える。通信部５０は、制御部３０の制御により、音声及び／又はデータ通信を担当する。機器操作部６０は、ユーザがモバイルフォンを操作するためのキーパッドを例に挙げることができる。
【００３７】
図４は、本発明の実施の形態に係るデジタル放送の処理方法を示すフローチャートである。同図に示すように、本発明の実施の形態に係るデジタル放送の処理方法を説明する。
【００３８】
第１ステップ（Ｓ１０）は、デジタル放送を受信し視聴するステップである。ユーザが機器操作部６０を利用してデジタル放送の受信を選択することができる。機器操作部６０を介したユーザのデジタル放送の受信は、制御部３０で認識される。制御部３０は、放送受信部１０を制御し、デジタル放送のチャネル選択、デコード、信号処理を行わせる。放送受信部１０は、ユーザが選択したチャネルのデジタル放送を受信し、受信されたデジタル放送のデコード及び信号処理を行う。放送受信部１０から出力されるデジタルオーディオ及び／又はビデオ信号は、出力部４０を介して出力されることによって、デジタル放送信号の視聴が行われる。
【００３９】
第２ステップ（Ｓ２０）は、タイムシフトの録画が開始されたか否かを判断するステップである。タイムシフトの録画の開始は、タイムシフトの録画要請により開始される。ここで、タイムシフトの録画要請に該当するイベントは、多様な場合があり得る。例えば、ユーザが任意の時刻において機器操作部によりタイムシフトの録画の開始を要請する場合があり得る。この場合は、ユーザが必要によりタイムシフト機能を行わせようとするケースに該当する。又は、デジタル放送をリアルタイムで視聴する中で、電話がかかってくるか、電話をかけるための通話の試みが始まる場合、自動にタイムシフトの録画に移行できる。
【００４０】
第３ステップ（Ｓ３０）は、デジタル放送を記憶するステップである。タイムシフトの録画が要請された時、放送受信部からリアルタイムで受信される放送を記憶部（記憶媒体）に記憶する。
【００４１】
第４ステップ（Ｓ４０）は、タイムシフトの再生要請があるか否かを判別するステップである。タイムシフトの再生要請に該当するイベントは、多様な場合があり得る。例えば、ユーザが任意の時刻において機器操作部６０によりタイムシフトの再生を要請する場合があり得る。この場合は、ユーザが必要によりタイムシフトの再生を行わせようとするケースに該当する。又は、デジタル放送をリアルタイムで視聴する中で、電話通話が終了する場合、自動にタイムシフトの再生に移行できる。
【００４２】
例えば、ユーザが第１チャンネルを介してリアルタイムで放送される放送コンテンツを視聴する場合、ユーザは、かかってきた電話を受けたり、電話をかけようと試みることができる。一実施の形態によれば、ユーザがかかってきた電話を受けたり電話をかけようと試みる時点Ｔ１において、モバイル端末機は、タイムシフトの記憶要求を受信する。ユーザが時点Ｔ２において電話通話を終了すれば、モバイル端末機は、タイムシフトの再生要求を受信する。電話通話の間（すなわち、Ｔ１からＴ２までの時間の間）、第１チャンネルを介して受信される放送コンテンツは、モバイル端末機のディスプレイスクリーン上に表示されないが、記憶部２０に記憶される。したがって、音声通話が終了する時点Ｔ２において、モバイル端末機は、記憶された放送コンテンツを再生して表示し、リアルタイムで受信される放送コンテンツを記憶し続ける（Ｓ５０）。
【００４３】
第５ステップ（Ｓ５０）は、タイムシフトの再生要請がある場合、タイムシフトの録画要請がある時点から再生要請のある時点まで記憶媒体に記憶されていた放送データを再生してディスプレイすると同時に、タイムシフトの再生要請がある時点から受信されるデジタル放送データを記憶するステップである。
【００４４】
第６ステップ（Ｓ６０）は、タイムシフトの終了要請があるか否かを判別するステップである。このステップにおいて、タイムシフトの終了要請がない場合、第５ステップ（Ｓ５０）に移行して、記憶されたデジタル放送データの再生及びディスプレイと、現在受信されるデジタル放送データの記憶過程とを繰り返して行う。すなわち、タイムシフトの再生要請がある場合、制御部３０が記憶部２０及び放送受信部１０を制御し、現在放送受信部１０を介してリアルタイムで受信されているデジタル放送を記憶部２０に記憶すると同時に、記憶部２０に記憶されていたデジタル放送を再生してディスプレイすることである。
【００４５】
上記のような一連の過程により、例えば、デジタル放送の視聴中に電話が接続される場合、、タイムシフトを要請してオーディオ及び／又はビデオデータを記憶し、通話を終了すると、タイムシフトの再生を要請して、記憶とディスプレイを同時に行うことができる。したがって、例えば、デジタル放送の視聴中に通話のために視聴が一時中断される場合にも、その期間の間のデジタル放送を記憶しておき、後にリアルタイムのように、続けて視聴できるようになる。
【００４６】
例えば、任意の第１時点Ｔ１においてタイムシフトの録画が要請され、第１時点Ｔ１以後の第２時点Ｔ２においてタイムシフトの再生が要請されたと仮定する。このとき、第１時点Ｔ１から第２時点Ｔ２までのデジタル放送は、記憶媒体に記憶される。このように記憶されたデジタル放送データを第１データとする。第２時点Ｔ２においてタイムシフトの再生が要請されることにより、タイムシフトの再生が要請された第２時点Ｔ２からリアルタイムで受信されるデジタル放送データを記憶媒体に記憶する。このように記憶されるデジタル放送データを第２データとする。すると、第１時点Ｔ１から記憶された第１データの再生及びディスプレイされる間にも、現在のデジタル放送データは、第２データとして記憶される。第１データの再生及びディスプレイが完了すれば、その再生及びディスプレイの間に記憶されていた第２データを続いて再生及びディスプレイする。第２データを再生及びディスプレイする間にも、現在のデジタル放送データは同じ方法により記憶される。このような動作を繰り返して行なうことによって、所定の時間差でデジタル放送を続けて視聴できるようになる。
【００４７】
第７ステップ（Ｓ７０）は、タイムシフトの終了要請がある場合、デジタル放送の記憶を中断し（必要があれば、該当ファイルを削除する）、現在受信されるデジタル放送データに対するデコード及びディスプレイを行うステップである。
【００４８】
図５は、本発明の実施の形態に係るモバイルフォンの構成を示す。同図に示すように、本発明の実施の形態に係るモバイルフォンは、制御部２００をはじめとし、放送受信部２１０、記憶部２２０、入力バッファ２３１、出力バッファ２３２、ＤＥＭＵＸ２４０、ＤＥＭＵＸバッファ２５０、デコーダ２６０、出力部２７０、通信部２８０、機器操作部２９０を備える。
【００４９】
制御部２００は、放送受信、記憶及び再生、出力、通信制御を担当する。放送受信部２１０は、ＣＤＭ基盤のデジタルオーディオ放送又はデジタルオーディオ／ビデオ放送を受信し、制御部２００により制御される。記憶部２２０は、多様な記憶媒体を用いることができ、一例として、ＳＤＲＡＭ、フラッシュメモリ、ハードディスク、光記録媒体などを用いることができる。記憶部２２０は、機器に内蔵されるか、外部からインターフェスを基盤として脱着可能な形態で具現される。入力バッファ２３１は、放送受信部２１０において受信されたデジタル放送信号をバッファリングしてＤＥＭＵＸ２４０に伝達し、またタイムシフトの録画要請があるとき、バッファリングされる放送データを記憶部２２０に記憶させる。入力バッファ２３１は、リアルタイムで伝送される放送信号を正確にディスプレイするためのバッファリング過程を担当するものである。出力バッファ２３２は、タイムシフトの再生要請があるとき、記憶部２２０から出力されるデジタル放送データをバッファリングして、ＤＥＭＵＸ２４０に伝達する。出力バッファ２３２は、タイムシフトバッファとして用いられる。タイムシフトバッファは、記憶部２２０においてデジタル放送データファイルを読み出し・書き込みする時間に応じて放送をディスプレイする際に発生するジッタ（ｊｉｔｔｅｒ）現象を防止することによって、画質低下を防止する。すなわち、記憶媒体においてファイルを読み出し・書き込みするのに相対的に長い時間がかかるため、このとき、データをバッファリングすることにより、ファイル読み出し／書き込み時間の経過によるジッタ現象を防止することである。
【００５０】
ＤＥＭＵＸ２４０は、入力バッファ２３１でバッファリングされたデジタル放送データ又はタイムシフトバッファ２３２でバッファリングされるデジタル放送データを受信して、これを各種放送情報とＡ／Ｖデータに分離する。分離されたＡ／Ｖデータは、ＤＥＭＵＸバッファ２５０に伝達される。ＤＥＭＵＸバッファ２５０は、入力バッファ２３１と同様に、リアルタイムで伝送される放送信号を正確にディスプレイするためのバッファリング過程を担当する。ＤＥＭＵＸバッファ２５０から出力されたデジタル放送データは、デコーダ２６０に伝達される。
【００５１】
デコーダ２６０は、Ａ／Ｖストリームをディスプレイできるようにデコードし、デコードされたオーディオ及びビデオ信号は、出力部２７０を介して出力される。出力部２７０は、オーディオ及び／又はビデオを出力する。出力部２７０は、スピーカー又はヘッドセット、ディスプレイ装置を備える。一方、通信部２８０は、制御部２００の制御により音声及び／又はデータ通信を担当する。機器操作部２９０は、ユーザがモバイルフォンを操作するためのキーパッドを例に挙げることができる。
【００５２】
前記図４及び図５を参照して、本発明の実施の形態に係るモバイル端末機のデジタル放送信号処理動作を説明する。機器操作部２９０を介してデジタル放送の受信命令が入力されれば、制御部２００が放送受信部２１０を制御してユーザが希望するチャネルを選択し、選択されたチャネルのデジタル放送信号は、入力バッファ２３１を介してバッファリングされた後、ＤＥＭＵＸ２４０に入力される。デマルチプレクサ２４０に入力されたデジタル放送信号は、各種放送情報とＡ／Ｖストリームに分離され、Ａ／Ｖストリームは、ＤＥＭＵＸバッファ２５０を介してバッファリングされてデコーダ２６０に伝達される。デコーダ２６０は、Ａ／Ｖストリームをデコードして、出力部２７０を介してオーディオ及びビデオ信号を出力する。
【００５３】
このようにデジタル放送を視聴する中で、ユーザの機器操作部２９０を介したタイムシフトの録画要請や、あるいは、例えば電話がかかってきたり、電話をかけるための通話イベントが発生すれば、制御部２００においてタイムシフトの録画を始める。タイムシフトの録画開始により制御部２００の制御を受けて、記憶部２２０は、入力バッファ２３１でバッファリングされたデジタル放送データを記憶する。記憶媒体に記憶されるデジタル放送データは、例えばファイルに記憶される。制御部２００は、記憶されるデジタル放送データの記憶位置を認識する。また、制御部２００は、デジタル放送データファイルの再生時にもその再生位置を認識する。以後、ユーザの機器操作部２９０を介したタイムシフトの再生要請や、あるいは、例えば電話通話イベントが終了した時、制御部２００においてタイムシフトの再生を始める。
【００５４】
タイムシフトの再生により、記憶部２２０に記憶されていた放送データファイルは、制御部２００の制御を受けて出力バッファ（Ｔｉｍｅ  Ｓｈｉｆｔ  Ｂｕｆｆｅｒ）２３２を介してバッファリングされた後、ＤＥＭＵＸ２４０に伝達される。これと同時に、タイムシフトの再生時点から受信されるデジタル放送信号は、入力バッファ２３１を介してバッファリングされた後、記憶部２２０に記憶される。
【００５５】
ＤＥＭＵＸ２４０は、記憶部２２０から出力バッファ２３２を介して再生されるデジタル放送データをデマルチプレクスして、ＤＥＭＵＸバッファ２５０とデコーダ２６０を介して出力部２７０に出力する。したがって、タイムシフトの録画要請時点Ｔ１からタイムシフトの再生要請時点Ｔ２まで記憶しておいたデジタル放送信号が、ディスプレイ装置とオーディオ出力装置を介して出力される。また、これと同時に、タイムシフトの再生が要請された時点からのデジタル放送信号も記憶部２２０に記憶される。このように記憶されるデジタル放送信号は、先に記憶されたデジタル放送データファイルの再生が完了すれば、続き再生される。
【００５６】
一方、記憶されたデジタル放送データファイルを再生してディスプレイする際、ユーザが機器操作部２９０を利用して再生位置の探索を行うことができる。これは、上述したように、制御部２００で録画又は現在再生されるデジタル放送データの位置を認識している情報に基づく。例えば、早送りＦＦ（ＦａｓｔＦｏｗａｒｄ）、早巻き戻しＲＥＷ（Ｒｅｗｉｎｄ）、一時停止（Ｐａｕｓｅ）のような探索を機器操作部２９０を介して入力すれば、制御部２００で前記位置認識情報に基づいて記憶部２２０でユーザが希望する方向（すなわち、再生時点）への移動を行い、その移動した時点から再生する動作を行う。一時停止の場合には、再生を停止し、その位置でのビデオフレームを再生してディスプレイすることで具現される。
【００５７】
以後、機器操作部２９０を介したタイムシフトの再生終了要請があるとき、制御部２００でタイムシフトの再生を終了する。タイムシフトの終了要請がある場合、デジタル放送の記憶を中断し（必要があれば、該当ファイルを削除する）、現在受信されるデジタル放送データに対するデコード及びディスプレイを行う。
【００５８】
図６は、本発明の他の実施の形態に係るモバイルフォンの構成を示す。同図に示すように、本発明の実施の形態に係るモバイルフォンは、制御部３００をはじめとし、放送受信部３１０、記憶部３２０、入力バッファ３３０、ＤＥＭＵＸ３４０、ＤＥＭＵＸバッファ３５１、出力バッファ３５２、デコーダ３６０、出力部３７０、通信部３８０、機器操作部３９０を備える。
【００５９】
制御部３００は、放送受信、記憶及び再生、出力、通信制御を担当する。放送受信部３１０は、ＣＤＭ基盤のデジタルオーディオ放送又はデジタルオーディオ／ビデオ放送を受信し、制御部３００によって制御される。バッファ３３０は、入力バッファであって、例えばＣＤＭバッファであり、放送受信部３１０で受信されたデジタル放送信号をバッファリングしてＤＥＭＵＸ３４０に伝達し、リアルタイムで伝送される放送信号を正確にディスプレイするためのバッファリング過程を担当する。ＤＥＭＵＸ３４０は、入力バッファ３３０でバッファリングされたデジタル放送データを受信し、これを各種放送情報とＡ／Ｖデータに分離する。分離されたＡ／Ｖデータは、ＤＥＭＵＸバッファ３５１に伝達される。ＤＥＭＵＸバッファ３５１は、入力バッファ３３０と同様に、リアルタイムで伝送される放送信号を正確にディスプレイするためのバッファリング過程を担当する。ＤＥＭＵＸバッファ３５１から出力されたデジタル放送データは、デコーダ３５１に伝達されると共に、タイムシフトの録画のために記憶部３２０にも伝達される。記憶部３２０は、多様な記憶媒体を用いることができ、一例として、ＳＤＲＡＭ、フラッシュメモリ、ハードディスク、光記録媒体などを用いることができる。記憶部３２０は、機器に内蔵されるか、外部からインターフェスを基盤として脱着可能な形態で具現される。この実施の形態において記憶部３２０は、Ａ／Ｖストリームを記憶する。この実施の形態は、図３に示す実施の形態のモバイル端末機と比較するとき、放送情報を除外したＡ／Ｖストリームのみを記憶するため、デジタル放送データの記憶空間を少なく必要とする。
【００６０】
出力バッファ３５２は、タイムシフトの再生要請があるとき、記憶媒体３２０から出力されるデジタル放送データをバッファリングしてデコーダ３６０に伝達する。出力バッファ３５２は、タイムシフトバッファとして用いられる。タイムシフトバッファは、記憶部３２０でデジタル放送データファイルを読み出し・書き込みする時間により、放送をディスプレイする時に発生するジッタ現象を防止することによって、画質低下を防止する。すなわち、記憶媒体でファイルを読み出し・書き込みするのに相対的に長い時間がかかるため、このときデータをバッファリングすることにより、ファイル読み出し／書き込み時間の経過によるジッタ現象を防止することである。デコーダ３６０は、Ａ／Ｖストリームをディスプレイできるようにデコードし、デコードされたオーディオ及びビデオ信号は、出力部３７０を介して出力される。出力部３７０は、オーディオ及び／又はビデオを出力する。出力部３７０は、スピーカー又はヘッドセット、ディスプレイ装置を備える。一方、通信部３８０は、制御部３００の制御により音声及び／又はデータ通信を担当する。機器操作部３９０は、ユーザがモバイルフォンを操作するためのキーパッドを例に挙げることができる。
【００６１】
前記図４及び図６を参照し、本発明の実施の形態に係るモバイル端末機のデジタル放送信号処理動作を説明する。機器操作部３９０を介してデジタル放送の受信命令が入力されれば、制御部３００が放送受信部３１０を制御して、ユーザが希望するチャネルを選択し、選択されたチャネルのデジタル放送信号は、入力バッファ３３０を介してバッファリングされた後、ＤＥＭＵＸ３４０に入力される。ＤＥＭＵＸ３４０に入力されたデジタル放送信号は、各種放送情報とＡ／Ｖストリームに分離され、Ａ／Ｖストリームは、ＤＥＭＵＸバッファ３５１を介してバッファリングされてデコーダ３６０に伝達される。デコーダ３６０は、Ａ／Ｖストリームをデコードして、出力部３７０を介してオーディオ及びビデオ信号を出力する。
【００６２】
このようにデジタル放送を視聴する中で、ユーザの機器操作部３９０を介したタイムシフトの録画要請や、あるいは、例えば電話がかかってきたり、電話をかけるための通話イベントが発生すれば、制御部３００でタイムシフトの録画を始める。タイムシフトの録画開始により制御部３００の制御を受けて、記憶部３２０は、ＤＥＭＵＸバッファ３５１でバッファリングされたデジタル放送データを記憶する。記憶媒体に記憶されるデジタル放送データは、例えばファイルとして記憶される。制御部３００は、記憶されるデジタル放送データの記憶位置を認識する。また、制御部３００は、デジタル放送データファイルの再生時にも、その再生位置を認識する。以後、ユーザの機器操作部３９０を介したタイムシフトの再生要請や、あるいは、例えば電話通話イベントが終了した時、制御部３００でタイムシフトの再生を始める。
【００６３】
タイムシフトの再生により、記憶部３２０に記憶されていた放送データファイルは、制御部３００の制御を受けて出力バッファ３５２を介してバッファリングされた後、デコーダ２６０に伝達される。これと同時に、タイムシフトの再生時点から受信されるデジタル放送信号は、ＤＥＭＵＸバッファ３５１を介してバッファリングされた後、記憶部３２０に記憶される。したがって、タイムシフトの録画要請時点Ｔ１からタイムシフトの再生要請時点Ｔ２まで記憶しておいたデジタル放送信号が、ディスプレイ装置とオーディオ出力装置を介して出力される。また、これと同時に、タイムシフトの再生が要請された時点からのデジタル放送信号も記憶部３２０に記憶される。このように記憶されるデジタル放送信号は、先に記憶されたデジタル放送データファイルの再生が完了すれば、続いて再生される。
【００６４】
一方、記憶されたデジタル放送データファイルを再生してディスプレイする際、ユーザが機器操作部３９０を利用して再生位置の探索を行うことができる。これは、上述のように、制御部３００で録画又は現在再生されるデジタル放送データの位置を認識している情報に基づく。例えば、早送りＦＦ、早巻き戻しＲＥＷ、一時停止のような探索を機器操作部３９０を介して入力すれば、制御部３００で前記位置認識情報に基づいて記憶部３２０でユーザが希望する方向（すなわち、再生時点）への移動を行い、その移動した時点から再生する動作を行うことである。一時停止の場合には、再生を停止し、その位置でのビデオフレームを再生してディスプレイすることで具現される。
【００６５】
以後、機器操作部３９０を介したタイムシフトの再生終了要請があるとき、制御部３００でタイムシフトの再生を終了する。タイムシフトの終了要請がある場合、デジタル放送の記憶を中断し（必要があれば、該当ファイルを削除する）、現在受信されるデジタル放送データに対するデコード及びディスプレイを行う。
【００６６】
いままで説明した本発明の実施の形態において、タイムシフトのための記憶媒体の録画可能な領域は、その位置に関する情報をプロセッサ（制御部）が知っている。例えば、半導体メモリを用いる場合、メモリポインタを用いることによって、録画可能な領域の開始位置と終了位置が分かり、録画可能な領域に対して録画された領域の開始位置と終了位置も分かり、再生を行う場合には、現在再生される位置も分かり、録画を行う場合には、現在録画される位置が分かる。
【００６７】
このように、デジタル放送を視聴する中で、必要により自動に又はユーザの要請や設定により放送を記憶しておき、再生及びディスプレイの再開始が要請されれば、予め記憶しておいた放送データを再生及びディスプレイすると同時に、現在リアルタイムで受信される放送データを記憶する一連の動作を行い続け、必要があれば、ファイル削除を行なうことで、記憶媒体の記憶空間使用の効率性を高めることができる。
【００６８】
図７は、本発明の実施の形態に係るデジタル放送の処理方法を示すフローチャートである。図６及び図７を参照し、本発明の実施の形態に係るデジタル放送の処理方法を説明する。
【００６９】
第１ステップ（Ｓ１１０）は、デジタル放送を受信して視聴するステップである。ユーザが機器操作部３９０を利用してデジタル放送の受信を選択できる。機器操作部３９０を介したユーザのデジタル放送の受信は、制御部３００で認識される。制御部３００は、放送受信部３１０を制御してデジタル放送のチャネル選択、デコード及び信号処理を行わせる。放送受信部３１０は、ユーザが選択したチャネルのデジタル放送を受信し、受信されたデジタル放送のデコード及び信号処理を行う。放送受信部３１０から出力されるデジタルオーディオ及び／又はビデオ信号は、出力部３７０を介して出力されることによって、デジタル放送信号の視聴が行われるようになる。
【００７０】
第２ステップ（Ｓ１２０）は、タイムシフトが開始されたか否かを判断するステップである。タイムシフトの開始は、タイムシフトの要請により行われる。ここで、タイムシフトの要請に該当するイベントは、多様な場合があり得る。例えば、ユーザが任意の時刻で機器操作部３９０を介してタイムシフトの開始を要請する場合があり得る。この場合は、ユーザが必要によりタイムシフト機能を行わせようとするケースに該当する。又は、デジタル放送のリアルタイム視聴中に電話がかかってきたり、電話をかけるための通話の試みが始まる場合、自動にタイムシフトの開始に移行できる。
【００７１】
第３ステップ（Ｓ１３０）は、デジタル放送を記憶するステップである。タイムシフトが要請された時、放送受信部３１０からリアルタイムで受信される放送を記憶部３２０に記憶する。
【００７２】
第４ステップ（Ｓ１４０）は、タイムシフトの再生要請があるか否かを判別するステップである。タイムシフトの再生要請に該当するイベントは、多様な場合があり得る。例えば、ユーザが任意の時刻で機器操作部３９０を介してタイムシフトの再生を要請する場合があり得る。この場合は、ユーザが必要によりタイムシフトの再生を行わせようとするケースに該当する。又は、デジタル放送のリアルタイム視聴中への電話通話が終了する場合、自動にタイムシフトの再生に移行できる。
【００７３】
第５ステップ（Ｓ１５０）は、タイムシフトの再生要請がある場合、現在リアルタイムで受信中であるデジタル放送を記憶部３２０に記憶すると同時に、予め記憶されたデジタル放送を再生してディスプレイするステップである。すなわち、タイムシフトの再生要請がある場合、制御部３００で記憶部３２０及び放送受信部３１０を制御し、現在放送受信部３１０を介してリアルタイムで受信されているデジタル放送を記憶部３２０に記憶すると同時に、記憶部３２０に記憶されていたデジタル放送を第２ステップ（Ｓ１２０）のタイムシフトの開始時点から再生してディスプレイする。
【００７４】
第６ステップ（Ｓ１６０）は、タイムシフトの停止要請があるか否かを判別するステップである。タイムシフトの停止要請イベントは、多様な場合があり得る。例えば、ユーザが任意の時刻で機器操作部３９０を介してタイムシフトの再生停止を要請する場合があり得る。この場合は、ユーザが必要によりタイムシフトの再生を停止させようとするケースに該当する。
【００７５】
第７ステップ（Ｓ１７０）は、タイムシフトの停止要請がある場合、予め記憶されたデジタル放送の再生及びディスプレイを中断し、現在リアルタイムで受信されているデジタル放送を記憶部３２０に記憶するステップである。すなわち、タイムシフトの停止要請があれば、ディスプレイする過程を終了し、単に受信されるデジタル放送のみを記憶することである。
【００７６】
第８ステップ（Ｓ１８０）は、タイムシフトの終了要請があるか否かを判別するステップである。タイムシフトの終了要請イベントは、多様な場合があり得る。例えば、ユーザが任意の時刻で機器操作部３９０を介してタイムシフト機能の実行の終了を要請する場合があり得る。この場合は、ユーザが必要によりタイムシフトの実行を終了させようとするケースに該当する。
【００７７】
第９ステップ（Ｓ１９０）は、タイムシフトの終了要請がある場合、予め記憶されたデジタル放送データを削除し、現在受信中であるデジタル放送に対して、これを出力部３７０を介して出力するステップである。すなわち、タイムシフト機能の実行が終了するケースに該当する。
【００７８】
上記の一連の過程により、例えば、デジタル放送の視聴中に電話が接続される場合、タイムシフトを要請して、オーディオ及び／又はビデオデータを記憶し、通話を終了すると、タイムシフトの再生を要請して記憶とディスプレイを同時に行うことができるようになる。したがって、例えば、デジタル放送の視聴中に通話のために視聴が一時中断される場合にも、その期間の間のデジタル放送を記憶してから、リアルタイムのように続いて視聴できるようになる。
【００７９】
このようなデジタル放送の処理方法を行うにおいて、記憶部（記憶媒体）のオーディオ及び／又はビデオデータ記憶と再生に関連した効率的な処理方法が要求される。本発明の実施の形態に係るデジタル放送の処理方法は、小さな容量の記憶媒体を用いても、上述のタイムシフト機能の効果的な実行を可能にし、小さな容量の記憶空間を用いてタイムシフトの効率的な行いを可能にする。
【００８０】
本発明の実施の形態によれば、ファイルスイッチ（Ｆｉｌｅ  Ｓｗｉｔｃｈｉｎｇ）に基づいて、効率的なデジタル放送処理を行う。ファイルスイッチは、図８に示すように、複数の領域に記憶媒体の領域を分割する技法に基づく。実施の形態として、記憶媒体の録画可能な領域を２個の領域に分けて使用し、２個の領域中の一部は、録画のために用い、他の一部は、録画したデータを再生するために用いられる。図８に示すように、記憶媒体の録画可能な領域を１／２ずつ分割して、第１領域８１０と第２領域８２０と設定した。第１領域８１０と第２領域８２０のうちのいずれかの領域が録画領域として用いられるとき、他の一領域は、再生領域として用いられ、ファイルを再生する際に、第１領域８１０と第２領域８２０は、録画と再生とをそれぞれ交互に担当する。
【００８１】
本発明の実施の形態において、タイムシフトのための記憶媒体の録画可能な領域は、予め固定された大きさに設定でき、プロセッサ（制御部）で現在記憶媒体の残った容量により、適応的かつ可変的にその領域を設定することもできる。または、固定された最大大きさを設定し、その最大大きさを越えない範囲内で後者のように容量に応じて適応的かつ可変的にその領域を設定することもできる。
【００８２】
本発明の実施の形態において、タイムシフトのための記憶媒体の録画可能な領域は、その位置に関する情報をプロセッサ（制御部）が知っている。例えば、半導体メモリを用いる場合、メモリポインタを用いることによって、録画可能な領域の開始位置と終了位置が分かり、録画可能な領域に対して録画された領域の開始位置と終了位置も分かり、再生を行う場合には、現在再生される位置も分かり、録画を行う場合には、現在録画される位置が分かる。
【００８３】
図９は、タイムシフトの開始要請がある場合、第１領域８１０と第２領域８２０を用いる方法を図式化している。タイムシフトの開始要請が発生すれば、書き込みモードでファイルを生成して開き、受信される放送データを図５に示すように記憶する。上述の図８の記憶空間分割に基づくと、第１領域８１０に対してファイル１Ｆｉｌｅ１として録画を行うことを示している。これにより、第１領域８１０は、録画中である領域８１１と録画可能な残った領域８１２を有するようになる。
【００８４】
図１０は、タイムシフトの再生要請がある場合、第１領域８１０と第２領域８２０を用いる方法を図式化している。タイムシフトの再生要請が発生すれば、書き込みモードであったファイル１Ｆｉｌｅ１のモードを読み出しモードに変更し、予め録画された放送データを再生してディスプレイする。そして、これと同時に現在リアルタイムで受信されている放送データを第２領域８２０にファイル２Ｆｉｌｅ２として書き込みモードで生成し、受信される放送データは、ファイル２Ｆｉｌｅ２に録画する。ここでは、実施の形態として第１領域８１０に記憶される放送ファイルをファイル１Ｆｉｌｅ１、第２領域８２０に記憶される放送ファイルをファイル２Ｆｉｌｅ２と命名したが、これは、説明と理解のためのもので、本発明は、このようなファイル名に制限されるものではない。
【００８５】
図１０に示すように、タイムシフトの再生要請がある場合、（ａ）に示すように、第１領域８１０は、ファイル１Ｆｉｌｅ１として録画中である領域８１１と録画可能な残った領域８１２を有するようになり、（ｂ）に示すように、タイムシフトの再生要請により第１領域８１０は再生を行い、この時から受信されるリアルタイム放送データは、第２領域８２０に録画する。第１領域８１０の再生により、第１領域８１０は、再生中である領域８１３と録画された領域８１１を有するようになり、第２領域８２０は、ファイル２Ｆｉｌｅ２として録画中である領域８２１を有するようになる。
【００８６】
図１１は、タイムシフトの再生を行う中にファイルスイッチが発生する過程を図式化したものである。図１０を参照して上述したように、予め録画された放送データを再生及びディスプレイすることと同時に、現在リアルタイムで受信されている放送データを録画する中に、再生中であるファイル１Ｆｉｌｅ１の再生が完了した時点において、ファイル１Ｆｉｌｅ１は、読み出しから書き込みに変更し、これと同時に録画されたファイル２Ｆｉｌｅ２は、読み出しモードに変更して、ファイル２Ｆｉｌｅ２を再生及びディスプレイし、ファイル１Ｆｉｌｅ１に現在受信される放送データを録画する。このようなファイルスイッチ動作は、タイムシフトの再生が終了するまで行い続ける。すなわち、第１領域９１０の録画されたファイル再生が完了すれば、第２領域９２０の録画されたファイルを再生すると同時に、第１領域９１０には、受信される放送データを録画し、第２領域９２０の録画されたファイル再生が完了すれば、第１領域９１０の録画されたファイルを再生すると同時に、第２領域９２０には、受信される放送データを録画する動作を交互に行う。
【００８７】
図１１の（ａ）は、第１領域９１０でファイル１Ｆｉｌｅ１を再生することにより、再生中である領域９１１と残った録画可能な領域９１２を有するようになることを示しており、また、第２領域９２０でファイル２Ｆｉｌｅ２を録画することにより、録画中である領域９２１と残った録画可能な領域９２２を有するようになることを示している。ここで、第１領域９１０でファイル１Ｆｉｌｅ１を再生して、これ以上録画された領域が存在しない場合、（ｂ）に示すように、第１領域９１０と第２領域９２０のファイルスイッチを行う。これにより、図１１の（ｂ）に示すように、第１領域９１０でファイル１Ｆｉｌｅ１を録画することにより、録画中である領域９１３と既に以前に再生された領域９１４を有するようになり、第２領域９２０でファイル２Ｆｉｌｅ２を再生することにより、再生中である領域９２３と既に以前に録画された領域９２４を有するようになる。
【００８８】
図１１の（ｃ）は、第２領域９２０でファイル２Ｆｉｌｅ２を再生することにより、再生中である領域と残った録画可能な領域を有するようになることを示しており、また、第１領域９１０でファイル１Ｆｉｌｅ１を録画することにより、録画中である領域と残った録画可能な領域を有するようになることを示している。ここで、第２領域９２０でファイル２Ｆｉｌｅ２を再生して、これ以上録画された領域が存在しない場合、（ｄ）に示すように、第１領域９１０と第２領域９２０のファイルスイッチを行う。これにより、図１１の（ｄ）に示すように、第１領域９１０でファイル１Ｆｉｌｅ１を再生することにより、再生中である領域９１５と既に以前に録画された領域９１６を有するようになり、第２領域９２０でファイル２Ｆｉｌｅ２を録画することにより、録画中である領域９２５と既に以前に再生された領域９２６を有するようになる。
【００８９】
このようなファイルスイッチ動作は、上述のように、タイムシフトの再生中に行い続ける。このような再生／ディスプレイ及び同時録画動作を行う中に、仮りにタイムシフトの停止要請が発生すれば、再生中である領域に属するファイルを閉じ、他の領域の放送データ録画は行い続ける。そして、タイムシフトの終了要請があれば、録画中である領域に属するファイルも閉じ、タイムシフトに用いられたファイル、この実施の形態では、２個のファイルＦｉｌｅ１，Ｆｉｌｅ２を削除する。ファイルを削除する理由は、記憶媒体の記憶空間を他の用途としても使用できるようにするためである。
【００９０】
このように、デジタル放送を視聴する中で、必要により自動に又はユーザの要請や設定に応じて放送を記憶しておき、後に再生及びディスプレイの再開始が要請されれば、予め記憶しておいた放送データを再生及びディスプレイすると同時に、現在リアルタイムで受信される放送データを記憶する一連の動作を行い続け、このとき、ファイルスイッチ技法に基づいて放送データの記憶と再生を行なうと共に、最後には、ファイル削除を行なうことで、記憶媒体の記憶空間の使用の効率性を高めることができる。
【００９１】
本発明に係るタイムシフト技法は、短時間の間の録画／再生に基づくことは勿論、タイムシフト動作中には、ファイルの開き／閉じが発生しないことから、ファイルを開いたり閉じたりすることによる画面損傷（ｊｉｔｔｅｒ）及び遅延現象を防止し、制約的な記憶容量を最大限效率的に用いるようにする。すなわち、同じ記憶空間を有する機器において、放送視聴中に電話が接続される場合のような短時間の間のタイムシフト動作の他にも、ユーザが長時間席を空ける場合のような長時間の間のタイムシフト動作も可能になることである。
【００９２】
図１２は、本発明の実施の形態に係るデジタル放送の処理方法を示すフローチャートである。同図を参照して、本発明の実施の形態に係るデジタル放送の処理方法を説明する。
【００９３】
第１ステップ（Ｓ２１０）は、デジタル放送を受信して視聴するステップである。ユーザが機器操作部を利用してデジタル放送の受信を選択できる。機器操作部を介したユーザのデジタル放送の受信は、制御部で認識される。制御部は、放送受信部を制御して、デジタル放送のチャネル選択とデコード、信号処理を行わせる。放送受信部は、ユーザが選択したチャネルのデジタル放送を受信し、受信されたデジタル放送のデコード及び信号処理を行う。放送受信部から出力されるデジタルオーディオ及び／又はビデオ信号は、出力部を介して出力されることによって、デジタル放送信号の視聴が行われる。
【００９４】
第２ステップ（Ｓ２２０）は、タイムシフトの録画が開始されたか否かを判断するステップである。タイムシフトの録画の開始は、タイムシフトの録画要請により行われる。ここで、タイムシフトの録画要請に該当するイベントは、多様な場合があり得る。例えば、ユーザが任意の時刻で機器操作部を介してタイムシフトの録画の開始を要請する場合があり得る。この場合は、ユーザが必要によりタイムシフト機能を行わせようとするケースに該当する。又は、デジタル放送のリアルタイム視聴中に電話がかかってきたり、電話をかけるための通話の試みが始まる場合、自動にタイムシフトの録画に移行できる。
【００９５】
第３ステップ（Ｓ２３０）は、デジタル放送を記憶するステップである。タイムシフトの録画が要請されたとき、放送受信部からリアルタイムで受信される放送を記憶部に記憶する。
【００９６】
第４ステップ（Ｓ２４０）は、タイムシフトの再生要請があるか否かを判別するステップである。タイムシフトの再生要請に該当するイベントは、多様な場合があり得る。例えば、ユーザが任意の時刻で機器操作部を介してタイムシフトの再生を要請する場合があり得る。この場合は、ユーザが必要によりタイムシフトの再生を行わせようとするケースに該当する。又は、デジタル放送のリアルタイム視聴中における電話通話が終了する場合、自動にタイムシフトの再生に移行できる。
【００９７】
第５ステップ（Ｓ２５０）は、タイムシフトの再生要請がある場合、現在書き込みポインタの位置を判別するステップである。書き込みポインタの位置に応じて、ファイルスイッチモードに動作するか、多重領域モードに動作する。ここで、ファイルスイッチモードについては、前の図７〜図１１を参照して説明したことと同様である。多重領域モードについては、後に図面を参照して詳細に説明する。ファイルスイッチモード又は多重領域モードの選択基準となる書き込みポインタの位置と第１領域についても、後に図面を参照して詳細に説明する。これで本発明では、タイムシフトの録画及び再生を行なうにおいて、記憶空間の可変的な活用が可能となる。
【００９８】
第６ステップ（Ｓ２６０）は、書き込みポインタが第１領域に位置する際にファイルスイッチモードで動作する過程であり、第７ステップ（Ｓ２７０）は、書き込みポインタが第１領域にない場合、すなわち後述するが、第２領域以上の位置におかれる時、多重領域モードで動作する過程である。
【００９９】
第８ステップ（Ｓ２８０）は、タイムシフトの再生要請がある場合、ファイルスイッチモード又は多重領域モードを行うことにより、現在リアルタイムで受信中であるデジタル放送を記憶部に記憶すると同時に、予め記憶されたデジタル放送を再生してディスプレイするステップである。すなわち、タイムシフトの再生要請がある場合、制御部で記憶部及び放送受信部を制御し、現在放送受信部を介してリアルタイムで受信されているデジタル放送を記憶部に記憶すると同時に、記憶部に記憶されていたデジタル放送を第２ステップ（Ｓ２２０）のタイムシフトの開始時点から再生してディスプレイする。
【０１００】
上記のような一連の過程により、例えば、デジタル放送の視聴中に電話が接続される場合、タイムシフトを要請してオーディオ及び／又はビデオデータを記憶し、通話を終了すると、タイムシフトの再生を要請して記憶とディスプレイを同時に行うことができる。したがって、例えば、デジタル放送の視聴中に通話のために視聴が一時中断される場合にも、その期間の間のデジタル放送を記憶しておき、リアルタイムのように続いて視聴できる。
【０１０１】
このようなデジタル放送の処理方法を行うにおいて、記憶部のオーディオ及び／又はビデオデータ記憶と再生に関連した効率的な処理方法が要求される。本発明の実施の形態に係るデジタル放送の処理方法は、小さな容量の記憶媒体を用いるとしても、上述したタイムシフト機能を効果的に行うことを可能にし、小さな容量の記憶空間を用いてタイムシフトを効率的に行うことを可能にする。
【０１０２】
本発明の実施の形態によれば、ファイルスイッチモード及び／又は多重領域モードに基づいて、効率的なデジタル放送処理を行う。本発明では、記憶媒体の録画可能な領域を複数の領域に分割する。例えば、図１３に示すように、セグメント単位で記憶媒体の録画可能な領域を分割する。これで第１記憶領域は、第１セグメントに対応し、第２記憶領域は、第２セグメントに対応し、第ｎ記憶領域は、第ｎセグメントに対応する。図１３は、記憶媒体の録画可能な領域のセグメント分割の例を示している。本発明においてファイルスイッチモードは、前の図７〜図１１を参照して説明したように、複数の記憶領域の中で２個の記憶領域を交互に用いて、デジタル放送データを録画／再生する動作を称する。本発明において、多重領域モードは、２個以上のセグメントにわたってデジタル放送データを録画し再生する動作を称する。
【０１０３】
ファイルスイッチは、図１４の（ａ），（ｂ）に示すように、複数の領域に記憶媒体の領域を分割する技法に基づく。図１４に示すように、記憶媒体の録画可能な領域の中で、第１領域１１１０と第２領域１１２０を用いている。タイムシフトの録画が要請されることにより、デジタル放送データを録画し、再生要請時点において書き込みポインタの位置が第１領域ｓｅｇｍｅｎｔ１にある場合には、第１領域ｓｅｇｍｅｎｔ１の既記憶されたデジタル放送データを再生してディスプレイすると同時に、第２領域ｓｅｇｍｅｎｔ２にその時点から受信されるデジタル放送データをリアルタイムで同時録画する。第１領域のデジタル放送データを再生した場合、その後には、その間記憶された第２領域のデジタル放送データを再生してディスプレイすると同時に、第１領域にその時点から受信されるデジタル放送データをリアルタイムで同時録画する。すなわち、ファイルスイッチを行うことである。そして、再び第２領域のデジタル放送データを再生した場合、今回は、その間記憶された第１領域のデジタル放送データを再生してディスプレイすると同時に、第２領域にその時点から受信されるデジタル放送データをリアルタイムで同時録画する。すなわち、ファイルスイッチを行うことである。このような動作は、タイムシフトの実行停止が要請されるまで行い続ける。
【０１０４】
結局、本発明においてファイルスイッチは、第１領域１１１０と第２領域１１２０のうちのいずれかの領域が録画領域として用いられるとき、他の一領域は、再生領域として用いられ、ファイルを再生する際に、第１領域１１１０と第２領域１１２０は、それぞれ録画と再生を交互に担当する。
【０１０５】
本発明の実施の形態において、タイムシフトのための記憶媒体の録画可能な領域は、事前に固定された大きさに設定でき、プロセッサ（制御部）で現在記憶媒体の残った容量に応じて、適応的かつ可変的にその領域を設定することもできる。または、固定された最大大きさを設定し、その最大大きさを越えない範囲内で後者のように容量に応じて適応的かつ可変的にその領域を設定することもできる。
【０１０６】
本発明の実施の形態において、タイムシフトのための記憶媒体の録画可能な領域は、その位置に関する情報をプロセッサ（制御部）が知っている。例えば、半導体メモリを用いる場合、メモリポインタを用いることによって、録画可能な領域の開始位置と終了位置が分かり、録画可能な領域に対して録画された領域の開始位置と終了位置も分かり、再生を行う場合には、現在再生される位置も分かり、録画を行う場合には、現在録画される位置が分かる。
【０１０７】
タイムシフトの録画要請により放送データを記憶し、タイムシフトの再生要請により放送データを再生する時点において、書き込みポインタの位置に基づくとき、既記憶された放送データが少なくとも２個以上の領域、ここでは、２個以上のセグメント領域にわたって録画されたとき、多重領域モードに該当する。これは、多重セグメントモードと理解できる。図１５の（ａ）〜（ｃ）は、２個以上のセグメントにわたってデジタル放送データが録画された場合を示しており、これに対する再生要請により、２個以上のセグメントを対象にして該当放送データファイルを再生すると同時に、その時点から受信される放送データの録画が行われることを示している。このような多重セグメントモードにより、長時間の間のタイムシフト機能が具現され、再生中にファイルの開き又は閉じのような動作がなくてもタイムシフトの録画／再生が行われる。
【０１０８】
図１６の（ａ）〜（ｇ）は、本発明において多重領域モードで動作する場合における記憶空間を用いる方法の実施の形態を示している。記憶空間の大きさは、自由に設定（Ｍｅｍｏｒｙ＿Ｓｉｚｅ＿Ｆｒｅｅ）できることは既に説明した。
【０１０９】
図１６の（ａ）は、タイムシフトの録画要請により、第１領域ｓｅｇｍｅｎｔ１から録画を開始し、録画ポインタ（＝書き込みポインタ）が現在記憶空間の位置を指示することを示している。図１６の（ｂ）は、第２領域ｓｅｇｍｅｎｔ２に至るまで録画が持続し、録画ポインタが第２領域ｓｅｇｍｅｎｔ２の現在記憶空間の位置を指示することを示している。図１６の（ｃ）は、タイムシフトの再生要請により、第１領域ｓｅｇｍｅｎｔ１から再生が開始することを示しており、再生ポインタが第１領域ｓｅｇｍｅｎｔ１の初めから再生を開始することを示することを示している。図１６の（ｄ）は、タイムシフトの再生要請により、第１領域ｓｅｇｍｅｎｔ１の再生が行われると共に、録画ポインタは、第３領域ｓｅｇｍｅｎｔ３にわたって放送データの記憶が行われることを示している。図１６の（ｅ）は、再生ポインタが第１領域ｓｅｇｍｅｎｔ１の再生を完了しており、第２領域ｓｅｇｍｅｎｔ２を再生していることを示しており、録画ポインタは、さらに行って、第３領域ｓｅｇｍｅｎｔ３の終端に近づいていることを示している。図１６の（ｆ）は、再生ポインタが第２領域ｓｅｇｍｅｎｔ２の終端に近い位置を再生していることを示しており、録画ポインタは、さらに行って、第４領域ｓｅｇｍｅｎｔ４に放送データを記憶していることを示している。図１６の（ｇ）は、再生ポインタが第３領域ｓｅｇｍｅｎｔ３の終端に近い位置を再生していることを示しており、録画ポインタは、録画可能な領域の終わりまで使用したので、再び初めに戻って第１領域ｓｅｇｍｅｎｔ１から録画を行い続けていることを示している。
【０１１０】
このように、デジタル放送を視聴する中で、必要により自動に又はユーザの要請又は設定により放送を記憶しておき、後に再生及びディスプレイの再開始が要請されれば、予め記憶しておいた放送データを再生及びディスプレイすると同時に、現在リアルタイムで受信される放送データを記憶する一連の動作を行い続け、このとき、既に記憶された放送データの分量に応じて、ファイルスイッチ技法に基づくか、多重領域の使用方法に基づいて、放送データの記憶と再生を行なうと共に、最後には、ファイル削除を行なうことで、記憶媒体の記憶空間の使用の効率性を高めることができる。
【０１１１】
本発明に係るタイムシフト技法は、短時間の間の録画／再生に基づくことは勿論、タイムシフト動作中には、ファイルの開き／閉じが発生しないため、ファイルを開いたり閉じたりすることによる画面損傷（ｊｉｔｔｅｒ）及び遅延現象を防止し、制約的な記憶容量を最大限效率的に用いるようにする。
【０１１２】
すなわち、同じ記憶空間を有する機器において、放送視聴中に電話が接続される場合のような短時間の間のタイムシフト動作の他にも、ユーザが長時間席を空ける場合のような長時間の間のタイムシフト動作も可能となる。
【０１１３】
本発明は、頻繁な移動性と記憶媒体を基盤とするモバイル放送受信機において効果的な放送データの処理方法を提供することによって、デジタル放送の受信機能を備えたモバイル端末機において放送視聴中に放送視聴以外の作業により一時的に見逃す放送を見ることができるようにするタイムシフトを可能にし、記憶された放送データをディスプレイする際に現れる画質の歪みや遅延現象が現れなくなって、より良い画質の放送再生及びディスプレイを可能にする。
【０１１４】
上述した実施の形態は、単に説明的な観点で考慮しなければならず、限定的な観点で考慮してはならない。他の代案例、改善例、変形例、及び実施の形態は、上述した実施の形態に照らして当業者に自明であろう。したがって、本発明の多様な側面を裏付ける他の例示的な実施の形態、システムアーキテクチャー、プラットホーム、及び実現例は、ここに記載された必須な特徴から外れない範囲で利用され得る。
【０１１５】
例えば、プロセッサ、制御部、及び他の回路は、具体的なロジック／機能回路の関係として記載されたが、当業者であれば、そういう構成要素が適切に構成され、プログラムされたプロセッサ、ＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、及びデジタル信号プロセッサ（ＤＳＰｓ：ｄｉｇｉｔａｌ  ｓｉｇｎａｌ  ｐｒｏｃｅｓｓｏｒｓ）のように多様な方式で具現され得ることが分かるはずである。このような多様な他の適応例、代案例、改善例、変形例、及び開示された実施の形態による特徴の組み合わせは、本発明の範囲に含まれる。本発明は、添付した請求項及びその均等物の範囲により定義される。
【図面の簡単な説明】
【０１１６】
【図１】一般的なデジタル放送の受信機のブロック図である。
【図２】一般的なデジタル放送の記憶方法を説明するための図である。
【図３】本発明に係るデジタル放送処理装置の一実施の形態を示すブロック図である。
【図４】本発明に係るデジタル放送の処理方法のフローチャートである。
【図５】本発明に係るデジタル放送処理装置の他の実施の形態を示すブロック図である。
【図６】本発明に係るデジタル放送処理装置のさらに他の実施の形態を示すブロック図である。
【図７】本発明に係るデジタル放送の処理方法の一実施の形態を示すフローチャートである。
【図８】本発明の実施の形態に係る記憶空間分割の例を示す図である。
【図９】本発明の実施の形態に係るデジタル放送の記憶の際の記憶空間の使用方法の例を示す図である。
【図１０】本発明の実施の形態に係るデジタル放送再生の際の記憶空間の使用方法の例を示す図である。
【図１１】本発明の実施の形態に係るデジタル放送再生中の記憶空間の使用方法の例を示す図である。
【図１２】本発明に係るデジタル放送の処理方法の一実施の形態を示すフローチャートである。
【図１３】本発明に係る記憶空間分割の例を示す図である。
【図１４】本発明に係るデジタル放送の再生の際の記憶空間の使用方法におけるファイルスイッチモードを示す図である。
【図１５】本発明に係るデジタル放送の再生の際の記憶空間の使用方法における多重領域モードを示す図である。
【図１６】本発明の実施の形態に係るデジタル放送再生中の記憶空間の使用方法における多重領域モードの実施の形態を示す図である。
【符号の説明】
【０１１７】
１０，２１０、３１０…放送受信部、２０，２２０…記憶部、３０，２００，３００…制御部、４０，２７０，３７０…出力部、５０，２８０，３８０…通信部、６０，２９０，３９０…機器操作部、２３１，３３０…ＣＤＭバッファ、２３２，３５２…タイムシフトバッファ、２４０，３４０…ＤＥＭＵＸ、２５０，３５１…ＤＥＭＵＸバッファ、２６０，３６０…デコーダ、３２０…記憶媒体。
【図１】
2007110704.tif 000003
【図２】
2007110704.tif 000004
【図３】
2007110704.tif 000005
【図４】
2007110704.tif 000006
【図５】
2007110704.tif 000007
【図６】
2007110704.tif 000008
【図７】
2007110704.tif 000009
【図８】
2007110704.tif 000010
【図９】
2007110704.tif 000011
【図１０】
2007110704.tif 000012
【図１１】
2007110704.tif 000013
【図１２】
2007110704.tif 000014
【図１３】
2007110704.tif 000015
【図１４】
2007110704.tif 000016
【図１５】
2007110704.tif 000017
【図１６】
2007110704.tif 000018